(57)【要約】【課題】工数を削減するとともに、温度変動によって生じる膨張、収縮による偏心の発生を抑制し、結像性能を維持することができる。【解決手段】原稿画像を読み取るための画像読取用レンズ１であって、少なくとも一枚のレンズ（レンズ１６）は接着により保持部材２０に固定されており、保持部材２０との接着部以外であるレンズ部にはみ出ている接着剤１９がないこと、または、接着箇所において接着部以外にはみ出ていない接着剤１９の量に対し、接着部以外にはみ出している接着剤１９の量が所定の割合以下であって、かつ、保持部材２０の線膨張係数とレンズ１６の線膨張係数との比と、接着部以外にはみ出している接着剤１９の量の主走査方向でのはみ出し量のバランスと、が所定の関係を満たすものである。【選択図】図２
2017026813.tif 000002
【特許請求の範囲】
【請求項１】
原稿画像を読み取るための画像読取用レンズであって、
少なくとも一枚のレンズは接着により保持部材に固定されており、
下記数式１の条件式（１）、または、条件式（２）および条件式（３）を満足することを特徴とする画像読取用レンズ。
【数１】
2017026813.tif 000009
【請求項２】
条件式（４）を満足することを特徴とする請求項１に記載の画像読取用レンズ。
０≦Ｄ＜１.０      ・・・（４）
ただし、Ｄは接着箇所の接着部における前記保持部材と前記レンズとの間隔［ｍｍ］を表す。
【請求項３】
条件式（５）を満足することを特徴とする請求項１または２に記載の画像読取用レンズ。
０≦（Ｄｍａｘ−Ｄｍｉｎ）／Ｄｍａｘ＜０.５      ・・・（５）
ただし、Ｄｍａｘは前記保持部材と前記レンズとの間隔が最も離れている接着箇所の接着部での前記保持部材と前記レンズとの間隔、Ｄｍｉｎは前記保持部材と前記レンズとの間隔が最も近い接着箇所の接着部での前記保持部材と前記レンズとの間隔を表す。
【請求項４】
物体側に前群レンズ、像側に後群レンズを配してなるとともに、
前記前群レンズは、１枚以上の正レンズ、負レンズを含む３〜５枚のレンズで構成され、
前記後群レンズは、１枚のプラスチックの負レンズにより構成されることを特徴とする請求項１から３までのいずれかに記載の画像読取用レンズ。
【請求項５】
前記保持部材に接着される前記レンズは前記後群レンズであることを特徴とする請求項４に記載の画像読取用レンズ。
【請求項６】
前記前群レンズ、および／または、前記後群レンズの少なくとも１面は、非球面であることを特徴とする請求項４または５に記載の画像読取用レンズ。
【請求項７】
前記後群レンズの外形形状が、光軸に対して回転対称でないことを特徴とする請求項４から６までのいずれかに記載の画像読取用レンズ。
【請求項８】
前記後群レンズの外形形状が、主走査方向に長い短冊形状であることを特徴とする請求項７に記載の画像読取用レンズ。
【請求項９】
原稿を照明する照明系と、
前記照明系により照明された原稿の反射光を縮小結像させる結像レンズと、
前記結像レンズにより結像された原稿像を光電変換する撮像素子と、
を有する画像読取装置であって、
前記結像レンズは、請求項１から８までのいずれかに記載の画像読取用レンズであることを特徴とする画像読取装置。
【請求項１０】
請求項９に記載の画像読取装置を備えたことを特徴とする画像形成装置。
【発明の詳細な説明】
【技術分野】
【０００１】
本発明は、画像読取用レンズ、画像読取装置、および画像形成装置に関する。
【背景技術】
【０００２】
イメージスキャナ、ファクシミリ、あるいはディジタル複写機等における原稿画像の読み取りに用いられる画像読取装置は、読み取るべき原稿の画像を、読取り用の画像読取用レンズによって縮小して結像させ、この縮小光学像をＣＣＤ（電荷結合素子）イメージセンサのような固体撮像素子によって撮像し画像情報を電子的画像データ化する。
【０００３】
また、原稿情報をカラーで読み取るために、それぞれ例えば赤、緑および青のフィルタを持った受光素子が３列に配列された、いわゆる３ラインＣＣＤイメージセンサ等を用いて固体撮像素子を構成し、その受光面に原稿の縮小光学像を結像させることにより３原色に色分解して、カラー画像情報を信号化することが行われている。
【０００４】
上述した画像読取用レンズにおいては、一般に、像面において高空間周波数領域での高いコントラストおよび画角周辺部まで１００％近くの開口効率が要求される。さらに、カラー原稿を良好に読み取るためには、受光面上で赤、緑および青の各色の結像位置を光軸方向に合致させる必要があり、各色の色収差を極めて良好に補正しなければならない。
【０００５】
従来、このような画像読取用レンズとして広く用いられていた、いわゆるガウス型の画像読取用レンズは、比較的大口径で高解像度を実現することができる。しかしながら、このようなガウス型の構成で近年求められている高性能を実現しようとすると、レンズ枚数の増加、光学系の大型化が避けられない。
【０００６】
これに対し、特許文献１には、ガウス型の画像読取用レンズと比較してレンズ構成枚数が少なく、ガウス型と同等以上の性能を有する３枚〜５枚構成の画像読取用レンズが開示されている。
【０００７】
特許文献１に記載された画像読取用レンズでは、最も像側に配置された後群レンズが前群レンズと離れており、前群と同様に鏡筒等に入れると巨大化してしまうところを、後群レンズは前群と別に固定することで、小型化（レンズ構成枚数を最小で３枚）を達成できるようにしている。
【０００８】
また、最も像側に配置されるレンズのパワーを負とし、且つ当該レンズを像面近傍に配置する構成により、諸収差の補正を容易にして、高性能を実現することができる光学系を達成している。
【発明の概要】
【発明が解決しようとする課題】
【０００９】
特許文献１の構成では、ガウス型と比べてレンズ枚数を減らすことができるが、後群レンズを前群レンズと同様に鏡筒に入れると前群の大きさに対して後群が大きすぎるため、鏡筒が大きくなって小型化からは遠ざかってしまう。そこで、後群だけは前群とは別途に固定することで、小型化を達成できるようにしている。
【００１０】
特許文献１の構成において、後群の固定方法は、溝と嵌め合わせ、および板バネを使うものであるため、偏心等がない理想レンズを想定している。しかしながら、実際には、偏心や面精度および部品のバラつき等があるため、良好な結像性能を達成するには後群の位置や姿勢を前群に対して調整する必要があり、板バネ等で固定部品と一意的に姿勢を決めることは性能を出す上で検討の余地がある。
【００１１】
そこで、レンズを調整した上で固定する方法として、レンズを保持部材に接着させることが考えられる。レンズの位置および姿勢を調整し、性能が出た状態を維持したまま、保持部材と接着できるので非常に容易であり、工数の削減になる。
【００１２】
しかしながら、固体撮像素子での発熱や、画像照明を行う光源の発熱等により画像読取装置内部は、温度変化が生じるため、接着の状態によっては、保持部材、レンズ、接着剤の熱膨張、収縮によりバランスが崩れ、接着されたレンズが温度変化で位置、姿勢が変わり、性能が劣化してしまうことがある。
【００１３】
そこで本発明は、接着方法を採用することにより工数を削減するとともに、接着の状態を適切に制御することで、温度変動によって生じる膨張、収縮による偏心の発生を抑制し、結像性能を維持することができる画像読取用レンズを提供することを目的とする。
【課題を解決するための手段】
【００１４】
かかる目的を達成するため、本発明に係る画像読取用レンズは、原稿画像を読み取るための画像読取用レンズであって、少なくとも一枚のレンズは接着により保持部材に固定されており、下記数式１の条件式（１）、または、条件式（２）および条件式（３）を満足することを特徴とするものである。
【数１】
2017026813.tif 000003
【発明の効果】
【００１５】
本発明によれば、工数を削減するとともに、温度変動によって生じる膨張、収縮による偏心の発生を抑制し、結像性能を維持することができる。
【図面の簡単な説明】
【００１６】
【図１】画像読取用レンズの構成及び接着箇所を示す断面図である（第１構成例）。
【図２】図１の矢印の方向から見た図である。
【図３】画像読取用レンズの構成及び接着箇所を示す撮像素子側から見た図である（第２構成例）。
【図４】図３の矢印の方向から見た後群レンズの図である。
【図５】画像読取用レンズの構成及び接着箇所を示す撮像素子側から見た図である（第３構成例）。
【図６】図５の矢印の方向から見た後群レンズの図である。
【図７】画像読取用レンズの構成及び接着箇所を示す断面図である（第４構成例）。
【図８】図７の矢印の方向から見た図である。
【図９】画像読取装置の一例を示す概略断面図である。
【図１０】画像読取装置の他の例を示す概略断面図である。
【図１１】画像形成装置の一例を示す概略断面図である。
【発明を実施するための形態】
【００１７】
以下、本発明に係る構成を図１から図１１に示す実施の形態に基づいて詳細に説明する。
【００１８】
（画像読取用レンズ）
［第１構成例］
図１および図２に画像読取用レンズおよび保持部材の一例を示す。図１は、画像読取用レンズの構成及び接着箇所を示す断面図である。図２は、図１に示す矢印の方向から見た場合の図である。
【００１９】
この画像読取用レンズ１は、物体側に配される前群レンズ１０Ａと、像側に配される後群レンズ１０Ｂとからなる。前群レンズ１０Ａは、１枚以上の正レンズ、負レンズを含む５枚のレンズ（レンズ１１〜１５）で構成され、後群レンズ１０Ｂは、１枚のプラスチックの負レンズ（レンズ１６）で構成されている。前群レンズ１０Ａの各レンズ１１〜１５は、前群保持部材２５により保持されている。後群レンズ１０Ｂのレンズ１６は、保持部材２０により保持されている。
【００２０】
ここでは、レンズ１６の長手方向（主走査方向）のプラス側とマイナス側に保持、固定のためにそれぞれ設けられている係合部１７Ａ，１７Ｂ（鍔部）を保持部材２０と接着する箇所としている。保持部材２０には、係合部１７Ａ，１７Ｂに対応するように、主走査方向のプラス側とマイナス側にそれぞれ係合部２１Ａ，２１Ｂが設けられており、係合部１７Ａと係合部２１Ａ、係合部１７Ｂと係合部２１Ｂが接着剤１９を用いて接着されることで、レンズ１６は保持部材２０に保持されるようになっている。接着剤１９は、例えば、紫外線硬化型接着剤であって、例えば、ＵＶＸ−８２０４（電気化学工業株式会社製）、ＷＯＲＬＤＲＯＣＫ  ５３４２，ＷＯＲＬＤＲＯＣＫ  ＸＶＬ−９０Ｔ２（協立化学産業株式会社製）等を用いることができる。なお、係合部１７Ａと係合部２１Ａとの接着剤１９による接着箇所を接着箇所Ａ１、係合部１７Ｂと係合部２１Ｂとの接着剤１９による接着箇所を接着箇所Ａ２とする。
【００２１】
また、保持部材２０は、画像読取用レンズ１のベース部材となっており、前群保持部材２５も保持部材２０に保持されている。
【００２２】
なお、Ｄは、接着部での保持部材２０とレンズ１６の間隔を示しており、Ｖｐ１，Ｖｐ２は各接着箇所での接着部からプラス方向にはみ出た接着剤１９の体積、Ｖｍ１，Ｖｍ２は各接着箇所での接着部からマイナス方向にはみ出た接着剤１９の体積を示している。ここで、接着部とは、接着箇所におけるはみ出た部分を除く部分をいうものであって、保持部材側からレンズを垂直方向に見た時に隠れる保持部材とレンズとの間のことである。
【００２３】
［第２構成例］
図３および図４に画像読取用レンズおよび保持部材の他の例を示す。図３は、画像読取用レンズの構成及び接着箇所を示す図であって、撮像素子側から見た図である。図４は、図３に示す矢印の方向から後群レンズを見た場合の図である。なお、上記構成例と同様の点の説明は省略する。
【００２４】
画像読取用レンズ１の第２構成例では、後群レンズ１０Ｂのレンズ１６は、底面側（保持部材２０側）に２箇所の係合部１７Ａ，１７Ｂが設けられており、係合部１７Ａ，１７Ｂにて、レンズ１６と保持部材２０は接着により固定されている。
【００２５】
［第３構成例］
図５および図６に画像読取用レンズおよび保持部材の他の例を示す。図５は、画像読取用レンズの構成及び接着箇所を示す図であって、撮像素子側から見た図である。図６は、図５に示す矢印の方向から後群レンズを見た場合の図である。なお、上記構成例と同様の点の説明は省略する。
【００２６】
画像読取用レンズ１の第３構成例では、後群レンズ１０Ｂのレンズ１６は、底面側（保持部材２０側）に１箇所の係合部１７が設けられており、係合部１７にて、レンズ１６と保持部材２０は接着により固定されている。
【００２７】
なお、Ｖｐは接着箇所での接着部からプラス方向にはみ出た接着剤１９の体積、Ｖｍは接着箇所での接着部からマイナス方向にはみ出た接着剤１９の体積を示している。
【００２８】
［第４構成例］
図７および図８に画像読取用レンズおよび保持部材の他の例を示す。図７は、画像読取用レンズの構成及び接着箇所を示す断面図である。図８は、図７に示す矢印の方向から見た場合の図である。
【００２９】
画像読取用レンズ１の第４構成例は、後群レンズ１０Ｂのレンズ１６に、後群レンズ１０Ｂの物体側（前群レンズ側）方向に伸びる４箇所の足部１８（１８Ａ〜１８Ｄ）を設け、この足部１８と、前群レンズ１０Ａを保持している前群保持部材２５と、を接着固定する構成である。足部１８Ａと前群保持部材２５との接着箇所を接着箇所Ａ１とし、同様に、足部１８Ｂ〜１８Ｄと前群保持部材２５との接着箇所をそれぞれ接着箇所Ａ２〜Ａ４としている。
【００３０】
なお、Ｖｐ１，Ｖｐ２，Ｖｐ３，Ｖｐ４は各接着箇所Ａ１〜Ａ４での接着部からプラス方向にはみ出た接着剤１９の体積、Ｖｍ１，Ｖｍ２，Ｖｍ３，Ｖｍ４は各接着箇所Ａ１〜Ａ４での接着部からマイナス方向にはみ出た接着剤１９の体積を示している。
【００３１】
［条件式］
そして、本実施形態に係る画像読取用レンズ１は、原稿画像を読み取るための画像読取用レンズ１であって、少なくとも一枚のレンズ（例えば、後群レンズ１０Ｂのレンズ１６）は接着により保持部材（保持部材２０）に固定されており、保持部材との接着部以外であるレンズ部にはみ出ている接着剤１９がないこと、または、接着箇所において接着部以外にはみ出ていない接着剤１９の量（接着部の接着剤１９の量）に対し、接着部以外にはみ出している接着剤１９の量が所定の割合以下であって、かつ、保持部材の線膨張係数とレンズの線膨張係数との比と、接着部以外にはみ出している接着剤１９の量の主走査方向でのはみ出し量のバランスと、が所定の関係を満たすものである。
【００３２】
好ましくは、下記数式２における条件式（１）を満たす、または、条件式（２）および（３）を満たすものである。
【数２】
2017026813.tif 000004
【００３３】
これにより、以下に詳細を説明するように、工数を削減しつつ温度変化に伴う接着剤１９の膨張、収縮によるレンズ位置変動を抑え、温度変化後も良好な結像性能を維持できる高性能な画像読取用レンズ１を得ることができる。以下に詳細を説明する。
【００３４】
条件式（１）は、接着剤１９のはみだしがないことを規定するものである。
【００３５】
また、条件式（２）は、画像読取用レンズ１を保持する保持部材２０の線膨張係数と、接着保持されているレンズ（以下、レンズ１６を例とする）の線膨張係数の比と、接着箇所での接着部以外にはみ出した接着剤１９のはみ出し方向のバランスとの関係を規定するものである。
【００３６】
温度変化時において、レンズ１６は線膨張係数の差により接着箇所から力を受けるが、保持部材２０とレンズ１６の線膨張係数の比が小さい場合、本来その力は小さい。しかしながら、接着箇所全体で接着剤１９の主走査方向へのはみ出し量のバランスが大きく崩れていれば、温度変化時にバランスが失った方向への力、つまりレンズ１６の姿勢を変化させる力がはみ出した接着剤１９の影響を受け増幅され、温度変化時により大きくレンズ１６が動いてしまう。
【００３７】
また、保持部材２０とレンズ１６の線膨張係数の比が大きい場合は、接着箇所全体で接着剤１９の主走査方向へのはみ出し量のバランスの崩れが小さくても、温度変化時にレンズ１６が受ける線膨張係数の差からくる力は大きく、バランスの崩れが増幅されることになり、レンズ１６の姿勢が大きく動いてしまう。それにより、温度変化後に結像性能の劣化が生じてしまう。
【００３８】
また、条件式（３）は、画像読取用レンズ１の保持部材２０と、レンズ１６の間である接着箇所での接着部における接着量と、接着部以外にはみ出した接着剤１９の割合を規定するものである。
【００３９】
接着部の接着剤１９の体積に対して、接着部以外のレンズ箇所に接着されている接着剤１９の体積が大きすぎると、レンズ１６の固定に関して接着部での固定の割合が小さくなり、接着部からはみ出した部分の寄与率が大きくなってしまう。例えば、はみ出した部分が全体の接着量に対して半分以上となると、はみ出した部分の接着剤１９の影響が支配的となり、接着部の接着剤１９で接着を制御している状態とはいえなくなってしまう。
【００４０】
そして、本願発明者は、条件式（２）および条件式（３）を満足することで、温度変化後においても良好な結像性能を維持することができ、これを満たさない場合に、温度変化後に結像性能の劣化が生じるおそれがあることを知見した。
【００４１】
そこで、本実施形態に係る画像読取用レンズ１は、条件式（１）を満足し接着剤１９のはみ出し量をゼロにするか、または、条件式（３）で本来つくべき場所ではない接着剤１９の許容量を条件式（３）の範囲内とすることで、はみ出した接着剤１９の影響力を小さくしつつ、かつ条件式（２）で保持部材２０と接着されたレンズ１６の線膨張係数の比と各接着箇所でのはみ出した接着剤１９のバランスの割合を規定するものである。
【００４２】
これにより、温度変化後も結像性能の劣化が大きい方向である主走査方向にレンズがシフトやチルトすることがない良好な結像性能を保てる高性能な画像読取用レンズ１を得ることができる。
【００４３】
以下に、画像読取用レンズ１のさらに好ましい条件について説明する。
【００４４】
画像読取用レンズ１は、以下の条件式（４）を満足することで画像読取用レンズ１の良好な結像性能の更なる維持を図ることができる。
０≦Ｄ＜１.０      ・・・（４）
ただし、Ｄは接着部での保持部材とレンズとの間隔［ｍｍ］を表す。
【００４５】
条件式（４）は、接着箇所の接着部での保持部材２０とレンズ１６の間隔を規定するものである。条件式（４）の上限を超えると、保持部材２０とレンズ１６の間隔が大きすぎてしまい、接着剤１９のバランスが崩れた際の温度変化時のレンズ１６の変動が大きくなってしまう。
【００４６】
温度変化が生じると、膨張、収縮によりレンズ１６へ力が加わるが、接着箇所の保持部材２０とレンズ１６の間にある接着剤１９は、力に反発しつつ力の加わる方へ曲がってしまう。その変化量は接着剤１９の厚みがあるほうが薄い時に比べてより大きくなってしまう。また、振動という力が加わった時も同様であり、厚みが増した接着剤１９はレンズ１６の変動をより大きくしてしまう。
【００４７】
このため、条件式（４）を満たすことで、レンズ１６の変動を小さく抑えることができ、良好な結像性能を保つことが可能となる。
【００４８】
また、画像読取用レンズ１は、以下の条件式（５）を満足することで画像読取用レンズ１の温度変化後の良好な結像性能の更なる維持を図ることができる。
０≦（Ｄｍａｘ−Ｄｍｉｎ）／Ｄｍａｘ＜０.５      ・・・（５）
ただし、Ｄｍａｘは、保持部材とレンズとの間隔が最も離れている接着箇所の接着部での保持部材とレンズとの間隔、Ｄｍｉｎは、保持部材とレンズとの間隔が最も近い接着箇所の接着部での保持部材とレンズとの間隔を表す。
【００４９】
条件式（５）は各接着箇所での保持部材２０とレンズ１６との間隔を規定するものである。条件式（５）の上限を超えると、各接着箇所の接着部で接着剤１９の厚みが異なってしまい、温度変化時のレンズ１６の膨張、収縮及び接着剤１９の膨張、収縮の力関係が各場所で異なってしまうため、レンズ１６の姿勢が温度変化で変わってしまうことになり、良好な結像性能を得ることが困難となる。
【００５０】
条件式（４）、および／または条件式（５）を満たすことにより、より良好に、温度変化に伴う膨張、収縮によるレンズ位置変動を抑え、温度変化後も良好な結像性能を維持できる高性能な画像読取用レンズ１とすることができる。
【００５１】
また、画像読取用レンズ１は、前群レンズ１０Ａが１枚以上の正レンズ、負レンズを含む３〜５枚のレンズで構成され、後群レンズ１０Ｂが１枚のプラスチックの負レンズにより構成されることが好ましい。このような構成にすることで、小型で良好な収差補正を図ることができる。
【００５２】
また、画像読取用レンズ１は、保持部材２０に接着固定されるレンズは後群レンズ１０Ｂであることが好ましい。後群レンズ１０Ｂはプラスチックであるため、接着箇所を容易に形成することができる。それにより接着を容易にでき、工数の削減を図ることができる。また、レンズ系の端に接着固定を適用することでも、接着を容易とし、工数の削減を図ることができる。
【００５３】
また、画像読取用レンズ１は、少なくとも後群レンズ１０Ｂの１面は、非球面であることが好ましい。少なくとも後群レンズ１０Ｂの１面を非球面にすることでディストーションの曲がりの良好な補正を図ることができる。
【００５４】
また、画像読取用レンズ１は、少なくとも前群レンズ１０Ａの１面は、非球面であることが好ましい。少なくとも前群レンズ１０Ａの１面を非球面にすることで良好な収差補正を図ることができる。
【００５５】
また、画像読取用レンズ１は、像面に受光素子アレイ（撮像素子）が配置されるため後群の外形形状が、光軸に対して回転対称でなくても良く、また、主走査方向に長い短冊形状にすることができる。
【００５６】
このような構成とすることで、高性能な画質を得るには後群レンズ１０Ｂのレンズ径が巨大化してしまうところを、受光素子アレイを用いる場合、受光素子の配列方向である主走査方向の一方向のみに光線が通る幅を確保すれば良いこととなる。そのため、受光素子の配列と直交する方向については、レンズ径よりも画像読取用レンズ１として高さを小さくすることができ、小型化が可能となる。また、軽量化、低コスト化を実現することができる。もちろん、後群レンズ１０Ｂの外形形状を光軸に対して回転対称にすることもでき、この場合、エリアセンサを用いて画像の全画面を同時に読み取る構成にすることも可能である。
【００５７】
以上説明した本実施形態に係る画像読取用レンズ１によれば、接着方法を採用することにより工数を削減しつつ温度変化に伴う膨張、収縮によるレンズ位置変動を抑え、温度変化後も良好な結像性能を維持できる高性能な画像読取用レンズ１とすることができる。
【００５８】
（画像読取装置（１））
次に、画像読取装置について説明する。図９は、画像読取装置の一実施形態を示す概略断面図である。
【００５９】
画像読取装置３０において、原稿画像を読取られるべき原稿３２は、原稿載置ガラス３１の上面に平面的に定置される。第１走行体３３は、図面に直交する方向を長手方向とし、原稿載置ガラス３１の原稿載置面に対して鏡面を４５度傾けたミラー３３ｃを保持し、図９において、実線で示す位置から点線で示す位置まで一定速度Ｖで移動する。移動後の第１走行体３３を３３’として示している。
【００６０】
第１走行体３３は、照明系として、図面に直交する方向に長い蛍光ランプ３３ａおよび反射鏡３３ｂを保持している。蛍光ランプ３３ａは、第１走行体３３が図９の右方へ変位するときに発光し、原稿載置ガラス３１上の原稿３２を照明する。したがって、第１走行体３３が点線で示す位置まで変位する間に原稿３２は照明走査される。
【００６１】
蛍光ランプ３３ａとしては、ハロゲンランプや、キセノンランプ、冷陰極管等の管灯を用いても構わないし、ＬＥＤ等の点光源を用い一列に並べたもの、もしくは点光源を線光源に変換する導光体を用いた線状光源を用いることも可能であり、さらには有機ＥＬに代表される面発光光源を用いることも可能である。
【００６２】
第２走行体３４は、図面に直交する方向に長く、鏡面を互いに直交的に傾けた１対のミラー３４ａ，３４ｂを保持し、第１走行体３３の変位に同期して、実線で示す位置から点線で示す位置まで一定速度Ｖ／２で変位する。移動後の第２走行体３４を３４’として示している。
【００６３】
原稿３２が照明走査されるとき、原稿３２の被照明部からの反射光は、第１走行体３３のミラー３３ｃにより反射され、第２走行体３４のミラー３４ａ，３４ｂで順次反射され、結像光束として画像読取用レンズ１（結像レンズ）に入射する。
【００６４】
このとき、第１走行体３３と第２走行体３４の速度比が２：１となっているので、原稿被照明部から画像読取用レンズ１に至る光路長が一定に保たれる。
【００６５】
画像読取用レンズ１に入射した結像光束は、画像読取用レンズ１の結像作用により、撮像素子３６の受光面に原稿３２の縮小像を結像する。撮像素子３６は、ＣＣＤラインセンサであり、微小な光電変換部が図面に直交する方向へ密接して配列している。原稿３２の照明走査に伴い、原稿画像を画素単位の電気信号として出力する。この電気信号はＡ／Ｄ変換等の信号処理を受けて画像信号となり、必要に応じてメモリに記憶される。
【００６６】
なお、撮像素子３６は、結像画像を３色（赤、緑、青）に色分解して色情報を読取ることができ、各光電変換部で変換された電気信号を合成することでカラー原稿を読取ることができる。
【００６７】
以上説明した画像読取装置３０の画像読取用レンズ１に、ここまで説明した画像読取用レンズ１を用いることで、接着方法を採用することで工数を削減でき、かつ温度変化に伴う膨張、収縮によるレンズ位置変動を抑え、温度変化後も良好な結像性能を維持できる小型な画像読取用レンズ１を有する画像読取装置３０とすることができる。よって、温度変化に伴う接着剤１９の膨張、縮小によるレンズ位置変動を抑え、温度変化後も良好な結像性能を維持できる高性能、小型、軽量、低コストな画像読取装置３０とすることが可能となる。
【００６８】
（画像読取装置（２））
画像読取装置の第２の実施形態を図１０に示す。図１０は、画像読取装置の概略断面図である。
【００６９】
画像読取装置４０において、原稿画像を読取られるべき原稿４２は、原稿載置ガラス４１の上面に平面的に定置される。画像読取ユニット４３は、図面に直交する方向を長手方向とし、原稿載置ガラス４１の原稿載置面に対して鏡面を傾けて配置されたミラー４３ｅ，４３ｆ，４３ｇを保持し、図１０において、実線で示す位置から点線で示す位置まで一定速度Ｖで移動する。移動後の画像読取ユニット４３を４３’として示している。
【００７０】
画像読取ユニットは４３はまた、照明系として、図面に直交する方向に長い蛍光ランプ４３ａ，４３ｃおよび反射鏡４３ｂ，４３ｄを保持している。蛍光ランプ４３ａ及び４３ｃは、画像読取ユニット４３が図１０の右方へ変位するときに発光し、原稿載置ガラス４１上の原稿４２を照明する。したがって、画像読取ユニット４３が４３’で示す位置まで変位する間に原稿４２は照明走査される。
【００７１】
原稿４２が照明走査されるとき、原稿４２の被照明部からの反射光は、ミラー４３ｅ，４３ｆ，４３ｇで順次反射され、結像光束として画像読取用レンズ１（結像レンズ）に入射する。このときすべてのミラーは画像読取ユニット４３に一体で保持されているため、原稿４２の照明走査中において、原稿被照明部から画像読取用レンズ１に至る光路長は一定である。
【００７２】
画像読取用レンズ１に入射した結像光束は画像読取用レンズ１の結像作用により、撮像素子４５の受光面に原稿４２の縮小結像する。この後は、画像読取装置３０（図９）と同様に、電気信号に変換し原稿情報を読取ることが可能となる。
【００７３】
以上説明した画像読取装置４０の画像読取用レンズ１に、ここまで説明した画像読取用レンズ１を用いることで、接着方法を採用することで工数を削減でき、かつ温度変化に伴う膨張、収縮によるレンズ位置変動を抑え、温度変化後も良好な結像性能を維持できる小型な画像読取用レンズ１を有する画像読取装置４０とすることができる。よって、温度変化に伴う接着剤１９の膨張、縮小によるレンズ位置変動を抑え、温度変化後も良好な結像性能を維持できる高性能、小型、軽量、低コストな画像読取装置４０とすることが可能となる。
【００７４】
（画像形成装置）
次に、画像形成装置について説明する。図１１は、画像形成装置の概略断面図である。
【００７５】
画像形成装置２００は、装置上部に位置する画像読取装置３０と、その下位に位置する画像形成部１００とを有する。ここでは、画像読取装置として、図９に示した画像読取装置３０を備える例を説明する。
【００７６】
画像読取装置３０における３ラインのＣＣＤラインセンサである撮像素子３６から出力される画像信号は画像処理部１２０に送られ、画像処理部１２０において処理されて、書込み用の信号（イエロー、マゼンタ、シアン、黒の各色を書込むための信号）に変換される。
【００７７】
画像形成部１００は、潜像担持体として円筒状に形成された光導電性の感光体１１０を有し、その周囲に、帯電手段としての帯電ローラ１１１、リボルバ式の現像装置１１３、転写ベルト１１４、クリーニング装置１１５が配設されている。帯電手段としては帯電ローラ１１１に代えて、コロナチャージャを用いることもできる。
【００７８】
画像処理部１２０から書込み用の信号を受けて光走査により感光体１１０に書込みを行う光走査装置１１７は、帯電ローラ１１１と現像装置１１３との間において感光体１１０の光走査を行うようになっている。
【００７９】
画像形成を行うときは、光導電性の感光体１１０が時計回りに等速回転され、その表面が帯電ローラ１１１により均一帯電され、光走査装置１１７のレーザビームの光書込による露光を受けて静電潜像が形成される。形成された静電潜像は所謂、ネガ潜像であって画像部が露光されている。
【００８０】
画像の書込みは、感光体１１０の回転に従い、イエロー画像、マゼンタ画像、シアン画像、黒画像の順に行われ、形成された静電潜像はリボルバ式の現像装置１１３の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４上に、転写電圧印加ローラ１１４Ａにより順次転写され、上記各色トナー画像が転写ベルト１１４上で重ね合わせられてカラー画像となる。
【００８１】
記録媒体としての転写紙Ｓを収納したカセット１１８は、画像形成装置本体に脱着可能であり、装着された状態において、収納された転写紙Ｓの最上位の１枚が給紙コロ１２２により給紙され、給紙された転写紙Ｓはその先端部をレジストローラ対１１９に捕えられる。
【００８２】
レジストローラ対１１９は、転写ベルト１１４上のトナーによるカラー画像が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００８３】
カラー画像を転写された転写紙Ｓは定着装置１１６へ送られ、定着装置１１６においてカラー画像を定着された後、搬送路を通り、図示されない排紙ローラ対により排紙トレイ１２１上に排出される。各色トナー画像が転写されるたびに、感光体１１０の表面はクリーニング装置１１５によりクリーニングされ、残留トナーや紙粉等が除去される。
【００８４】
以上説明した画像形成装置２００が備える画像読取装置３０の画像読取用レンズ１に、ここまで説明した画像読取用レンズ１を用いることで、温度変化に伴う接着剤１９の膨張、縮小によるレンズ位置変動を抑え、温度変化後も良好な結像性能を維持できる高性能、小型、軽量、低コストな画像読取装置３０を備えた画像形成装置２００とすることが可能となる。
【００８５】
なお、カラーの画像形成を行う画像形成装置２００を例に説明したが、モノクロームの画像形成を行う画像形成装置であってもよい。
【００８６】
また、排紙が画像読取装置３０と画像形成部１００との間に形成されている胴内排紙型の省スペースな画像形成装置２００において、ここまで説明した画像読取用レンズ１を用いた画像読取装置３０を用いることにより、画像読取装置３０が薄くなり、画像形成部１００との間が広がることで、出力された転写紙Ｓの作業者への視認性を高めることにより、作業を容易にする効果もある。
【００８７】
尚、上述の実施形態は本発明の好適な実施の例ではあるがこれに限定されるものではなく、本発明の要旨を逸脱しない範囲において種々変形実施可能である。
【００８８】
例えば、上記実施形態では、円形のレンズを用いて説明したが、レンズの大きさ、特に画像読取装置の高さ方向の大きさを低減するために、レンズの上下を切断した小判型のレンズを用いた画像読取用レンズ１としてもよいのは勿論である。
【実施例】
【００８９】
画像読取用レンズ１の実施例について以下に示す。
【００９０】
（実施例１）
実施例１として、図１および図２に示した第１構成例の画像読取用レンズ１の各パラメータ、演算結果を表１に示す。なお、表１〜表４において、間隔は［ｍｍ］、体積は［ｍｍ３］である。
【表１】
2017026813.tif 000005
【００９１】
（実施例２）
実施例２として、図３および図４に示した第２構成例の画像読取用レンズ１の各パラメータ、演算結果を表２に示す。
【表２】
2017026813.tif 000006
【００９２】
（実施例３）
実施例３として、図５および図６に示した第３構成例の画像読取用レンズ１の各パラメータ、演算結果を表３に示す。
【表３】
2017026813.tif 000007
【００９３】
（実施例４）
実施例４として、図７および図８に示した第４構成例の画像読取用レンズ１の各パラメータ、演算結果を表４に示す。
【表４】
2017026813.tif 000008
【符号の説明】
【００９４】
１  画像読取用レンズ
１０Ａ  前群レンズ
１０Ｂ  後群レンズ
１１〜１５  レンズ（前群レンズ）
１６  レンズ（後群レンズ）
１７，１７Ａ，１７Ｂ  係合部
１８，１８Ａ〜１８Ｂ  足部
１９  接着剤
２０  保持部材
２１Ａ，２１Ｂ  係合部
２５  前群保持部材
３０  画像読取装置
３１  原稿載置ガラス
３２  原稿
３３，３３’  第１走行体
３３ａ  蛍光ランプ
３３ｂ  反射鏡
３３ｃ  ミラー
３４，３４’  第２走行体
３４ａ，３４ｂ  ミラー
３６  撮像素子
４０  画像読取装置
４１  原稿載置ガラス
４２  原稿
４３，４３’  画像読取ユニット
４３ａ，４３ｃ  蛍光ランプ
４３ｂ，４３ｄ  反射鏡
４３ｅ，４３ｆ，４３ｇ  ミラー
４５  撮像素子
１００  画像形成部
１１０  感光体
１１１  帯電ローラ
１１３  現像装置
１１４  転写ベルト
１１４Ａ  転写電圧印加ローラ
１１４Ｂ  転写ローラ
１１５  クリーニング装置
１１７  光走査装置
１１６  定着装置
１１８  カセット
１１９  レジストローラ対
１２０  画像処理部
１２１  排紙トレイ
１２２  給紙コロ
２００  画像形成装置
Ａ１，Ａ２，Ａ３，Ａ４  接着箇所
Ｄ  間隔
Ｓ  転写紙
Ｖｍ，Ｖｍ１，Ｖｍ２，Ｖｍ３，Ｖｍ４  はみ出た接着剤体積（主走査−方向）
Ｖｐ，Ｖｐ１，Ｖｐ２，Ｖｐ３，Ｖｐ４  はみ出た接着剤体積（主走査＋方向）
【先行技術文献】
【特許文献】
【００９５】
【特許文献１】特許第３９３９９０８号公報
【図９】
2017026813.tif 000010
【図１０】
2017026813.tif 000011
【図１１】
2017026813.tif 000012
【図１】
2017026813.tif 000013
【図２】
2017026813.tif 000014
【図３】
2017026813.tif 000015
【図４】
2017026813.tif 000016
【図５】
2017026813.tif 000017
【図６】
2017026813.tif 000018
【図７】
2017026813.tif 000019
【図８】
2017026813.tif 000020